(57)【要約】      （修正有）【課題】【課題】真芯で打球する要領を覚えるための訓練バットを提供する。【解決手段】野球用バット２又はソフトボールバットの最適な打球域の部位に、平面状の打球面４ａを持つ打球補助部材４を、打球面がバットの中心軸２ｂと平行になるように且つ該打球面がバットの外面を接して若しくはバットの外面より２０ｍｍ以内の間隔で離れて位置するように固着する。打球面４ａは、バットの長手方向の長さ４ｂがボール径の０．７乃至１．８倍の長さとし、幅４ｃがバット幅の１／２乃至２倍の長さとして、真芯で打球する要領を覚えるための訓練バットを形成する。【選択図】図１
0003175571.tif 000002
【実用新案登録請求の範囲】
【請求項１】
野球用バット又はソフトボールバットの最適な打球域の部位に、平面状の打球面を持つ打球補助部材を、該打球面が該バットの中心軸と平行になるように且つ該打球面が該バットの外面と接して若しくは該バットの外面より２０ｍｍ以内の間隔で離れて位置するように固着して成り、該打球面は、バットの長手方向の長さがボール径の０．７乃至１．８倍の長さを有し、幅が該バット幅の１／２乃至２倍の長さを有することを特徴とする、真芯で打球する要領を覚えるための訓練バット。
【請求項２】
前記打球補助部材は、バットの長手方向の長さがボール径の０．７乃至１．３倍の長さを有しそして幅がバット幅の０．８乃至１．２倍の長さを有する平面状の打球面を持つ部材である、請求項１記載の訓練バット。
【請求項３】
前記打球補助部材は、前記打球面がバット外面と接して若しくはバット外面より５ｍｍ以内の間隔で離れて位置するように固着して成る、請求項１又は請求項２記載の訓練バット。
【請求項４】
前記バットは木製のバットであり、前記打球補助部材は硬質ゴム製の部材である、請求項１乃至請求項３のいずれか一項記載の訓練バット。
【考案の詳細な説明】
【技術分野】
【０００１】
本考案は、野球又はソフトボールで使用するための、真芯で打球する要領を覚えるための訓練バットに関するものである。
【背景技術】
【０００２】
野球又はソフトボールにおいて、打球したボールが良好な飛距離を達成するにはバットの真芯でボールを打球することが重要である。
しかし、通常使用される野球又はソフトボール用のバットは、打球域が平面状のテニスラケット等とは異なり略円柱形の形状であるため、ボールを打つ際ボールと面ではなく線で接触することになり、特に初心者にあってはボールをバットに当てることすら難しい。また、例えバットの真芯にボールが当ったとしても、打者自身は真芯に当ったかどうかを判断しにくく、バットの真芯でボールを打球する要領を覚えることは困難である。
【０００３】
特許文献１には、バットにボールを当て易くするために、バット本体のボールを打つ打撃部に少なくとも一箇所以上の平面部を形成したことを特徴とするバッティング練習用バットが記載されている。
しかし、このバットではボールをバットに当て易くすることはできるが、平面部が幅広の構造であることから空気抵抗が大きく打球しずらい。またこのバットは打球する部分の全体が面状であるためボールを当て易い反面、バットの真芯以外でも打球できてしまうため、真芯で打球する要領は身につきにくい。
【先行技術文献】
【特許文献】
【０００４】
【特許文献１】特開２００１−２８６５９３号公報
【考案の概要】
【考案が解決しようとする課題】
【０００５】
本考案は上述の問題を鑑みて為されたものであって、初心者であってもボールを当て易く且つ真芯でボールが当ったことを確認しやすい、真芯で打球する要領を覚え易くするための野球又はソフトボール用の訓練バットに関するものである。
【課題を解決するための手段】
【０００６】
すなわち本考案は、野球用バット又はソフトボールバットの最適な打球域の部位に、平面状の打球面を持つ打球補助部材を、該打球面が該バットの中心軸と平行になるように且つ該打球面が該バットの外面と接して若しくは該バットの外面より２０ｍｍ以内の間隔で離れて位置するように固着して成り、該打球面は、バットの長手方向の長さがボール径の０．７乃至１．８倍の長さを有し、幅が該バット幅の１／２乃至２倍の長さを有することを特徴とする、真芯で打球する要領を覚えるための訓練バットに関する。
また、本考案の好ましい態様は、前記打球面の広さが真芯で打球する要領を覚える訓練においてより好適な範囲のものに設定されたもの、具体的には、前記打球補助部材は、バットの長手方向の長さがボール径の０．７乃至１．３倍の長さを有しそして幅がバット幅の０．８乃至１．２倍の長さを有する平面状の打球面を持つ部材であるところの前記訓練バットに関する。
また、本考案のより好ましい態様は、前記打球面の位置が真芯で打球する打点との関係においてより好適な範囲のものに設定されたもの、具体的には、前記打球補助部材は、前記打球面がバット外面と接して若しくはバット外面より５ｍｍ以内の間隔で離れて位置するように固着して成るところの前記訓練バットに関する。
また、本考案の更により好ましい態様は前記バットは木製のバットであり、前記打球補助部材は硬質ゴム製の部材である、前記訓練バットに関する。
【考案の効果】
【０００７】
本考案の訓練バットは、ボールを当て易く且つ真芯でボールが当ったことを確認しやすいため、初心者であっても真芯で打球する要領を覚えやすくなるという効果を奏するものである。
【図面の簡単な説明】
【０００８】
【図１】図１は本考案の実施例１の訓練バット１の全体図である。
【図２】図２は本考案の実施例１の訓練バット１を矢印Ｐ方向より見た図である。
【考案を実施するための形態】
【実施例】
【０００９】
実施例１
以下、本考案の訓練バットを実施例の訓練バット１を示す図１及び図２を用いて説明する。
図１及び図２に示す通り、訓練バット１は、野球（又はソフトボール）バット２において真芯で打球するのに最適な打球域の部位３に、平面状の打球面４ａを持つ打球補助部材４を備えるものである。
打球補助部材４は、例えば野球バット２の最適な打球域の部位３の表面を切削し切り欠き部分を設け、この切り欠き部分に直方体形状の打球補助部材４を嵌め込み、接着剤等で固定することなどにより野球バット２に固着される。
打球面４ａを平面状にすることにより、打球の際打球面４ａがボールに対して面で接触するため、略円筒形状の通常の野球バットと比較してボールを容易に当てることができる。
また、打球面４ａは野球バット２の中心軸２ｂと平行になるように且つ該打球面４ａが該野球バット２の外面２ａを接して若しくは該野球バット２の外面２ａより２０ｍｍ以内の間隔で離れて位置している。
該打球面４ａは野球バット２の中心軸２ｂと平行であるため、ボールを前方に打ち返し易い。また打球面４ａは野球バット２の外面２ａと接する場合が通常のバットを使用した場合と比較して打球のタイミングのズレがない点で最も好ましいが、該野球バット２の外面２ａより２０ｍｍ以内、好ましくは５ｍｍ以内の間隔で離れて位置していても、通常のバットを使用した場合とほぼ同様の打球のタイミングをとることができる。
また、ボールを当てやすくするために、該打球面４ａは、ある程度の面積を有する必要があるが、幅が広くバットからのはみ出しが多すぎる場合、スイングの際空気抵抗が大きくなり打球の妨げになる。本考案の訓練バット１では、該打球面４ａは、バットの長手方向の長さ４ｂがボール径の０．７乃至１．８倍の長さを有し、幅４ｃが該バット幅の１／２乃至２倍の長さを有するという寸法とすることにより、ボールが当たり易くするための面積を確保する一方、バットからはみ出す部分を最小限のものとし、スイングの際の空気抵抗を極力小さくするように工夫されている。
そして該打球面４ａは、バットの長手方向の長さ４ｂがボール径の０．７乃至１．３倍の長さを有しそして幅４ｃがバット幅の０．８乃至１．２倍の長さを有することがより好ましい。
本考案の訓練バット１では、打球補助部材を４、野球バット２の材質と異なる材質にすることにより、最適な打球域の部位３（即ち真芯近傍）に設けられた打球補助部材４の打球面４ａに当ったかどうかを打球した瞬間に打者自身が音で確認することができるため、真芯で打球する要領が身に付き易い。
本考案の訓練バット１は、野球バット２が木製又は金属製のものであることから、打球補助部材４は硬質ゴム製の材料を使用することが好ましいが、野球バット２が木製である
場合、打球補助部材４として金属を使用しても良い。
而して本考案の訓練バット１を、野球の初心者である児童の打球練習に使用したところ、通常のバットを使用した児童と比較して短期間で真芯でボールを打撃できるようになった。
【符号の説明】
【００１０】
１        訓練バット
２        野球バット
２ａ      外面
２ｂ      中心軸
３        最適な打球域の部位
４        打球補助部材
４ａ      打球面
４ｂ      長さ
４ｃ      幅
【図１】
0003175571.tif 000003
【図２】
0003175571.tif 000004